(57)【要約】【課題】不具合が生じるような吸収性コアの排泄部対向部の変形を抑制可能な吸収性物品に関する。【解決手段】吸収性物品は、本体と、一対のウイング部と、を具備する。本体は、前後方向と幅方向を有する吸収性コアを含む。一対のウイング部は、本体を挟んで幅方向に互いに対向する。吸収性コアは、前後方向の両端部側に位置する前方コア部及び後方コア部と、前方コア部及び後方コア部の間に位置し、前方コア部及び後方コア部よりも幅が狭い領域を備えた中間コア部とを有する。一対のウイング部は、中間コア部を挟んで幅方向に互いに対向する。中間コア部の幅を規定する中間コア部の両側縁部の延長線上、又は、当該延長線よりも幅方向の外側に、前後方向に沿った折り畳み線を具備する。【選択図】図３
2019217000.tif 000002
【特許請求の範囲】
【請求項１】
互いに直交する前後方向と幅方向を有する吸収性コアを含む本体と、前記本体を挟んで前記幅方向に互いに対向する一対のウイング部と、を具備する吸収性物品であって、
前記吸収性コアは、前記前後方向の両端部側に位置する前方コア部及び後方コア部と、前記前方コア部及び前記後方コア部の間に位置し、前記前方コア部及び前記後方コア部よりも幅が狭い領域を備えた中間コア部とを有し、
前記一対のウイング部は、前記中間コア部を挟んで前記幅方向に互いに対向し、
前記中間コア部の幅を規定する前記中間コア部の両側縁部の延長線上、又は、当該延長線よりも前記幅方向の外側に、前記前後方向に沿った折り畳み線を具備する
吸収性物品。
【請求項２】
前記中間コア部は、前記幅方向の中央部に配置された高坪量部と、前記高坪量部より低い坪量を有し前記高坪量部の周囲に配置された低坪量部とを含む
請求項１に記載の吸収性物品。
【請求項３】
前記吸収性コアは、前記中間コア部と前記後方コア部との間に位置する境界部を有し、
前記境界部は、前記高坪量部と隣接し、前記幅方向に延びる前記低坪量部よりも低い坪量を有する境界溝部を含む
請求項２に記載の吸収性物品。
【請求項４】
前記本体は、前記吸収性コアと、前記吸収性コアを被覆するコアラップシートと、前記コアラップシート上に配置された表面シートを含み、
前記表面シート、前記コアラップシート及び前記吸収性コアに形成された圧搾溝を更に具備し、
前記圧搾溝は、前記中間コア部の両側縁部及びその延長線よりも前記幅方向の内側に位置する
請求項１から請求項３のうちいずれか一項に記載の吸収性物品。
【請求項５】
前記本体の幅方向両側に設けられ、前記前後方向に延びる一対の立体ガードを更に具備し、
前記立体ガードは、固定端部と、前記本体の厚み方向に前記固定端部を起点に起立可能に構成された起立領域とを有し、
前記折り畳み線は、前記固定端部と前記圧搾溝との間に位置する
請求項４に記載の吸収性物品。
【請求項６】
前記後方コア部は、前記折り畳み線よりも幅方向内側に前記前後方向に延在する相対的に坪量の低い低坪量の縦溝部を含む
請求項１から請求項５のうちいずれか一項に記載の吸収性物品。
【請求項７】
前記一対のウイング部よりも前方及び後方に、前記幅方向に沿った、折り畳みによって形成された折り畳み線を更に具備する
請求項１から請求項６のうちいずれか一項に記載の吸収性物品。
【発明の詳細な説明】
【技術分野】
【０００１】
本発明は、生理用ナプキン等の吸収性物品に関する。
【背景技術】
【０００２】
特許文献１には、ウイング部を備えた生理用ナプキンと外装材とを一体的に、幅方向及び縦方向にそれぞれ３つ折りとしたコンパクトな生理用ナプキン包装体が開示されている。生理用ナプキンの一部を構成する吸収体は、長手方向に沿って長い、幅が均一の部材である。
【０００３】
特許文献２には、本体が瓢箪型であり、これに沿った吸収性コアを備えた、ウイング部を備えていない生理用ナプキンが、外装材とともに製品縦方向に３つ折りした個包装体が記載されている。
【先行技術文献】
【特許文献】
【０００４】
【特許文献１】特開２０１７−６４１０３号公報
【特許文献２】特開２００７−７５１３７号公報
【発明の概要】
【発明が解決しようとする課題】
【０００５】
特許文献１の生理用ナプキン包装体では、包装体を展開してショーツに装着した場合、装着者の動きがショーツ及びウイング部を介して生理用ナプキンの吸収性コアにおける、排泄部と対向する領域に伝わり、破損などの、吸収性コアの予期せぬ変形に繋がるおそれがある。特許文献２には、生理用ナプキンを幅方向に３つ折りすることについては記載されておらず、上述した課題について何ら示唆を与えていない。
【０００６】
本発明の課題は、不具合が生じるような吸収性コアの排泄部対向部の変形を抑制可能な吸収性物品に関する。
【課題を解決するための手段】
【０００７】
本発明の吸収性物品は、本体と、一対のウイング部と、を具備する。
上記本体は、互いに直交する前後方向と幅方向を有する吸収性コアを含む。
上記一対のウイング部は、上記本体を挟んで上記幅方向に互いに対向する。
上記吸収性コアは、上記前後方向の両端部側に位置する前方コア部及び後方コア部と、上記前方コア部及び上記後方コア部の間に位置し、上記前方コア部及び上記後方コア部よりも幅が狭い領域を備えた中間コア部とを有する。
上記一対のウイング部は、上記中間コア部を挟んで上記幅方向に互いに対向する。
上記吸収性物品は、上記中間コア部の幅を規定する上記中間コア部の両側縁部の延長線上、又は、当該延長線よりも上記幅方向の外側に、上記前後方向に沿った折り畳み線を具備する。
【発明の効果】
【０００８】
本発明の吸収性物品によれば、吸収性コアの排泄部対向部の変形を抑制することができる。
【図面の簡単な説明】
【０００９】
【図１】本発明の実施形態に係る吸収性物品を示す斜視図である。
【図２】上記吸収性物品をＸＹ平面に沿って引き延ばした態様を示す平面図である。
【図３】図２のIII−III線で切断した吸収性物品の断面図である。
【図４】図２のIV−IV線で切断した吸収性物品の断面図である。
【図５】上記吸収性物品の一部を構成する吸収性コアの平面図である。
【図６】上記吸収性物品が包装された吸収性物品包装体の作製方法を説明する図であり、上記吸収性物品を折り畳み線に沿って折畳む過程を順に説明する図である。
【図７】上記吸収性物品が包装された吸収性物品包装体の作製方法を説明する図であり、図６に続く上記吸収性物品を折畳む過程を順に説明する図である。
【図８】（Ａ）は上記吸収性物品が幅方向に三つ折りされた時の吸収性コアの概略平面図であり、（Ｂ）は図８（Ａ）のVIIIB−VIIIB線で切断した拡大概略断面図である。
【発明を実施するための形態】
【００１０】
［ナプキンの全体構成］
図１及び図２では、Ｘ軸方向が吸収性物品１の前後方向、Ｙ軸方向が幅方向、Ｚ軸方向が上下方向（厚み方向）にそれぞれ対応し、Ｘ軸、Ｙ軸、Ｚ軸は互いに直交する。以下、図２に示す態様において吸収性物品１を説明する。
本実施形態の吸収性物品１は、生理用ナプキンとして構成され、以下、ナプキン１と称する。本実施形態のナプキン１は、就寝時に使用されてもよく、例えば前後方向に沿って３０ｃｍ以上の長さを有していてもよい。
【００１１】
図１及び図２に示すように、ナプキン１は、本実施形態において、本体Ｍと、一対のウイング部Ｗと、一対の立体ガードＧと、一対の後方フラップ部Ｆと、を備える。
本体Ｍは、前後方向に延び、装着時に装着者の下着の内面（被装着面）に固定される。本体Ｍは、吸収体１１を有しており、装着者の経血等の液状物（以下、「液」とも称する）を吸収する機能を有する。
本体Ｍは、前後方向に沿って区分された、前方領域Ｍ１と、中間領域Ｍ２と、後方領域Ｍ３とを有する。
前方領域Ｍ１は、中間領域Ｍ２の前方（装着者の腹側）に配置される領域であり、装着時に装着者の排泄部の前方に対向するように構成される。
中間領域Ｍ２は、装着時に装着者の排泄部に対向するように構成される。中間領域Ｍ２は、前後方向において後述するウイング部Ｗの全長と重なる領域である。なお、中間領域Ｍ２は、図示のように本体Ｍの前方寄りに位置してもよいし、本体Ｍの中央部に位置してもよい。
後方領域Ｍ３は、中間領域Ｍ２の後方（装着者の背側）に配置される領域であり、装着時に装着者の排泄部の後方に対向するように構成される。
【００１２】
一対のウイング部Ｗは、中間領域Ｍ２において、本体Ｍを挟んで幅方向に互いに対向し、幅方向の外側に大きく突出するように構成される。ナプキン１において一対のウイング部Ｗが幅方向に大きく突出する起点を基部Ｗａとする。
ウイング部Ｗは、装着時に下着を挟んで本体Ｍと対向するように基部Ｗａ付近から折り曲げられ、装着者の下着の外面に固定される。ウイング部Ｗは、装着中におけるナプキン１の位置ずれを防止し、ナプキン１外部への液の漏れを防止する。
【００１３】
立体ガードＧは、本体Ｍの幅方向周縁に設けられ、前後方向に延びるように配置される。立体ガードＧは、装着中に厚み方向に起立し、幅方向の液の漏れを防止することができる。なお、「厚み方向に起立する」とは、装着者側に向かって起立することを意味する。
【００１４】
後方フラップ部Ｆは、後方領域Ｍ３の幅方向の外方に膨出するように構成され、装着時に装着者の下着の内面の臀部に面する領域に装着される。これにより、後方フラップ部Ｆは、後方領域Ｍ３の変位を防止し、後方領域Ｍ３による後ろ漏れ防止機能をサポートすることができる。なお、ナプキン１は、後方フラップ部Ｆを有さない構成でもよい。
【００１５】
また、ナプキン１は、前後方向に沿って延在する折り畳み線Ｌ１及びＬ２と、幅方向に沿って延在する折り畳み線Ｌ３及びＬ４を有する。折り畳み線Ｌ１〜Ｌ４は折り畳みによって形成される。折り込み線Ｌ１〜Ｌ４の詳細については後述する。
【００１６】
［ナプキンの各部の構成］
（本体）
図２〜図４に示すように、本体Ｍは、Ｚ軸方向上方の第１の主面１２ａと、第１の主面１２ａの反対側のＺ軸方向下方の第２の主面１３ａとを有し、後述する吸収体１１の吸収性コア２０を含む。第１の主面１２ａは使用時に装着者側に対向する面であり、第２の主面１３ａは下着側に対向する面である。
本体Ｍは、裏面シート１３と、吸収体１１と、表面シート１２とが積層された構成を有する。本体Ｍは、吸収体１１と表面シート１２とを一体化する圧搾溝１６を有する。尚、図３及び図４においては、便宜的に各構成の縮尺を異ならせて図示しており、実際には、後述する吸収性コア２０に対して、裏面シート１３、表面シート１２、後述するコアラップシート３０、粘着部１５、接着剤Ｂの厚みは薄い。
【００１７】
吸収体１１は、吸収性コア２０とコアラップシート３０とを有する。
吸収性コア２０は、液を吸収及び保持する機能を有する。吸収性コア２０は、例えば、パルプ繊維等の親水性繊維で構成された繊維集合体で形成されてもよいし、当該繊維集合体に吸水性ポリマーを保持させた構成を有していてもよい。
コアラップシート３０は、吸収性コア２０を被覆し、例えば吸収性コア２０の形状を保持する機能等を有する。コアラップシート３０は、例えばティッシュペーパーのような薄く柔らかい紙や液透過性の不織布等で形成される。
コアラップシート３０は、吸収性コア２０の各部を被覆するコア被覆部と、吸収性コア２０の括れ領域を被覆する一対の括れ被覆部３４とを有する。図３に示すように、一対の括れ被覆部３４は、吸収性コア２０が非存在の領域に設けられ、コアラップシート３０が二重に重なった形状を有する。
【００１８】
表面シート１２は、液透過性のシート材として構成され、吸収体１１上に配置される。表面シート１２は、本体Ｍにおいてナプキン１のＺ軸方向上方の第１の主面１２ａを構成する。
表面シート１２には、圧搾溝１６が形成されている。
圧搾溝１６は、吸収体１１及び表面シート１２を圧搾加工することによって形成された線状溝として構成される。圧搾溝１６は、図１及び２に示すように本体Ｍを周回するように構成される。なお、「周回」とは、圧搾溝１６が連続状に延びて周回している形態と、複数の圧搾部が間欠的に配されていて全体として１つの溝として見做せる形状が周回している形態と、のいずれをも含む意味である。
【００１９】
裏面シート１３は、吸収体１１を挟んで表面シート１２と厚み方向に対向して配置される。裏面シート１３は、ナプキン１のＺ軸方向下方の第２の主面１３ａを構成する。裏面シート１３は、例えば周縁部において、表面シート１２及びサイドシート１４と接着剤、熱シール等によって接合される。
【００２０】
裏面シート１３の第２の主面１３ａには、粘着部１５が設けられている。
粘着部１５は、ナプキン１を下着に対して固定させるための構成であり、裏面シート１３の第２の主面１３ａに形成される。粘着部１５は、例えば、本体Ｍに設けられる本体粘着部１５１と、ウイング部Ｗに設けられるウイング粘着部１５２と、後方フラップ部Ｆに設けられる後方フラップ粘着部１５３を有する。
【００２１】
（ウイング部）
図３に示すように、ウイング部Ｗは、裏面シート１３とサイドシート１４とが積層された構成を有し、追加的に、表面シート１２が全体または一部に積層された構成でも良い。
図２に示すように、サイドシート１４は、表面シート１２を挟んで幅方向に相互に対向し、ナプキン１の幅方向周縁部に配置される。サイドシート１４は、ウイング部Ｗ及び後方フラップ部Ｆにおいてナプキン１の表面を構成する外面１４ａを含む。
サイドシート１４は、不織布や樹脂製等のフィルムで形成することができる。サイドシート１４は、液防漏性を有するものが好ましく、具体的には、液不透過性、撥水性及び透湿性等の機能を有することが好ましく、積層構造でも、単層構造でもよい。
一対のウイング部Ｗは、後述する吸収性コア２０の中間コア部２２を挟んで幅方向で互いに対向する。
【００２２】
（立体ガード）
立体ガードＧは、本実施形態においてサイドシート１４で構成される。
図２〜図４に示すように、立体ガードＧは、折返し領域１４１と、固定端部１４２と、弾性部材１４３とを有する。
【００２３】
折返し領域１４１は、サイドシート１４における幅方向外側に折り返された部分である。
固定端部１４２は、立体ガードＧの幅方向内側の端部であり、第１の主面１２ａ（表面シート１２）に接合される立体ガードＧの基部である。固定端部１４２は、本実施形態において接着剤Ｂを用いて主面１２ａに接合される。
【００２４】
弾性部材１４３は、折返し領域１４１に配置され、本実施形態において長手方向に伸縮可能な複数の糸状弾性部材を含む。弾性部材１４３は、ＸＹ平面に引き延ばされた状態のサイドシート１４に、長手方向に伸長された状態で取り付けられる。これにより、装着時に、弾性部材１４３が長手方向に収縮して主面１２ａが緩やかに凹むように本体Ｍが湾曲し、折返し領域１４１が厚み方向に起立することができる。折返し領域１４１のＺ軸方向上方を向く面は、装着者の肌と当接し得る起立面である。
【００２５】
図２に示すように、立体ガードＧは、本体Ｍの幅方向両側に前後方向全長にわたって配置され、少なくとも一部が起立可能に構成される。
立体ガードＧは、起立領域Ｇ１と非起立領域Ｇ２とを有する。
起立領域Ｇ１は、本体Ｍの厚み方向に、固定端部１４２を起点に起立可能に構成される。起立領域Ｇ１は、中間領域Ｍ２を跨いで前方領域Ｍ１及び後方領域Ｍ３の一部まで配置される。
非起立領域Ｇ２は、前方領域Ｍ１及び後方領域Ｍ３の前後方向端部側に配置され、例えばサイドシート１４が折り返された状態でサイドシート１４の外面１４ａとＺ軸方向に接合される。これにより、非起立領域Ｇ２では折返し領域１４１が起立しないように構成される。
【００２６】
弾性部材１４３は、実際には非起立領域Ｇ２を含む立体ガードＧ全体に配置されているが、少なくとも起立領域Ｇ１に配置されていればよい。図２では、非起立領域Ｇ２における弾性部材１４３の図示を省略している。
【００２７】
（後方フラップ部）
図４に示すように、後方フラップ部Ｆは、裏面シート１３とサイドシート１４とが積層された構成を有し、追加的に、表面シート１２が全体または一部に積層された構成でも良い。後方フラップ部Ｆには、吸収性コア２０は存在しない。
ウイング部Ｗと後方フラップ部Ｆとは、共通の裏面シート１３及びサイドシート１４から構成され、前後方向で連なっている。
【００２８】
［吸収性コアの構成］
（吸収性コアの全体構成）
図５に示すように、吸収性コア２０は、前後方向に相互に対向する前方コア部２１及び後方コア部２３と、前方コア部２１及び後方コア部２３の間に位置する中間コア部２２と、を有する。前方コア部２１は前方領域Ｍ１に位置し、中間コア部２２は中間領域Ｍ２から後方コア部２３に跨るように位置し、後方コア部２３は後方領域Ｍ３に位置する。吸収性コア２０は、幅方向において左右対称な平面形状を有する。
【００２９】
中間コア部２２は、前方コア部２１の幅Ｄ１及び後方コア部２３の幅Ｄ３よりも幅が狭い領域を備え、幅Ｄ２を有する。つまり、吸収性コア２０は、中間コア部２２において幅方向に括れた平面形状を有する。
中間コア部２２は、ナプキン１の装着時に装着者の排泄部である膣口に対向配置される排泄部対向部である。前方コア部２１は中間コア部２２よりも装着者の前側（腹側）寄りに配され、後方コア部２３は中間コア部２２よりも装着者の後側（背中側）寄りに配される。本実施形態のナプキン１では、一対のウイング部Ｗは、中間コア部２２を挟んで幅方向Ｙに互いに対向して配されている。より具体的には、中間コア部２２は、ウイング部Ｗの前後端部よりも縦方向Ｘの外方まで存在している。
【００３０】
吸収性コア２０の肌対向面２０ａ側には複数の溝部が設けられている。
具体的には、前方コア部２１、中間コア部２２及び後方コア部には、縦溝部２７及び横溝部２８が設けられ、そのうえ中間コア部２２には周縁溝部２９が設けられている。
更に、前方コア部２１と中間コア部２２との間の境界部Ｐ１には境界溝部３０が設けられ、中間コア部２２と後方コア部２３との間の境界部Ｐ２には境界溝部３１が設けられている。境界部Ｐ１及び境界部Ｐ２は、それぞれ吸収性コア２０を幅方向に横切るように位置する。
尚、境界部Ｐ１とは前方コア部２１及び中間コア部２２の間のいずれにも属さない部分をいい、境界部Ｐ２とは後方コア部２３及び中間コア部２２の間のいずれにも属さない部分をいう。
【００３１】
吸収性コア２０は、相対的に坪量が低い低坪量の縦溝部２７、横溝部２８、周縁溝部２９、境界溝部３０及び３１によりブロック状に複数分割されている。これら溝部は、ブロック状に分割されてなるブロック部に対して、厚み方向の上面（装着者の肌側に位置する面）から下方に向かって沈み込むように構成される。一方、ブロック部は、厚み方向上方に突出するように構成される。
【００３２】
吸収性コア２０において、溝部が形成されている領域、すなわち溝部を形成する底部は、溝部が形成されていないブロック部の領域と比較して、相対的に厚みが薄くなっている。
吸収性コア２０の厚みと坪量は相関関係にある。溝部を形成する底部は、ブロック部と比較して、相対的に坪量が低くなっている。これにより、溝部の底部は、ブロック部と比較して剛性が低くなる。したがって、吸収性コア２０に対して外力が加わったとき、溝部を変形起点として吸収性コア２０は変形しやすくなっている。
【００３３】
以下の説明において、前方コア部２１、中間コア部２２及び後方コア部２３の坪量は、各溝部２７，２８，２９，３０，３１を除くブロック部分の坪量をいうものとする。
【００３４】
縦溝部２７は、前後方向に沿って延び、幅方向に沿って間隔をあけて複数配列されている。縦溝部２７は、前方コア部２１、中間コア部２２及び後方コア部２３のそれぞれを幅方向に分割するように、前後方向の全長にわたって形成されている。
横溝部２８は、幅方向に沿って延び、前後方向に沿って間隔をあけて配列されている。横溝部２８は、前方コア部２１、中間コア部２２及び後方コア部２３のそれぞれを前後方向に分割するように、幅方向の全長にわたって形成されている。なお、本実施形態では、境界部Ｐ１，Ｐ２に形成される境界溝部３０及び３１は横溝部２８に含めない。境界溝部３０及び３１の前後方向における長さである溝幅は、横溝部２８よりも広い。
周縁溝部２９は、後述する高坪量部２４の前後方向外縁に沿って形成されている。低坪量で変形しやすい周縁溝部２９を設けることによって、高坪量部２４の周囲の変形が周縁溝部２９に吸収されるため、高坪量部２４が周囲の変形の影響を受けにくくなる。
なお、縦溝部２７、横溝部２８及び周縁溝部２９の形状や配置などの構成は、図３に記載された構成に限定されず、吸収性コア２０の形状や要求される機能等に基づいて適宜設定される。
【００３５】
このように、低坪量で変形しやすい縦溝部２７、横溝部２８、周縁溝部２９、境界溝部３０及び３１を設けることで、吸収性コア２０の柔軟性を高めることができる。また、溝部を設けることにより溝の空間に排泄された液を素早く引き込み、吸収性コア２０内に取り込むことができ、液吸収速度を高めることができる。また、吸収性コア２０が複数のブロック部に区画されることで、吸収性コア２０の表面積を高め、液を効率よく吸収し保持することができる。
【００３６】
（後方コア部の構成）
後方コア部２３において、縦溝部２７は５本配置されている。幅方向中央部に位置する３本の幅広の中央縦溝部２７ａは、これら３本の中央縦溝部２７ａを挟むように配置された一対の側方縦溝部２７ｂよりも溝幅が狭く、幅方向における寸法が長くなっている。尚、縦溝部２７ａ、２７ｂというように特に区別する必要がない場合は、単に縦溝部２７と称する。
後方コア部２３に縦溝部２７が設けられることにより、ナプキン１の装着時に、縦溝部２７を変形起点として幅方向で臀部を包み込むように吸収性コア２０が変形しやすくなり、臀部と装着者の肌との間の隙間が生じにくくなる。
【００３７】
更に、本実施形態では、後方コア部２３において、幅方向中央部に、両側方部に位置する側方縦溝部２７ｂよりも幅が広い中央縦溝部２７ａが位置しているので、中央部は、両側方部と比較して吸収性コア２０の厚みが薄い領域が多くなり、曲げ方向の剛性が低くなる。したがって、ナプキン１が装着されて吸収性コア２０に外力が加わったとき、後方コア部２３では、幅方向の中央部が両側方部よりも優先的に変形しやすくなる。これにより、後方コア部２３の幅方向中央部は臀裂に沿って変形しやすくなり、臀裂と装着者の肌との間の隙間が生じにくくなり、液を吸収性コア２０により効率的に吸収することができ、液漏れの発生が抑制される。
【００３８】
また、後方コア部２３において、横溝部２８が設けられることにより、ナプキン１の装着時に、前後方向で臀部を包み込むように変形しやすくなり、臀部と装着者の肌との間の隙間が生じにくくなり、液漏れの発生が抑制される。
【００３９】
（中間コア部の構成）
図５に示すように、中間コア部２２は、高坪量部２４と、低坪量部２５とを含む。図３では、高坪量部２４を高密度のドットパターンで示し、低坪量部２５を低密度のドットパターンで示している。
【００４０】
高坪量部２４は、中間コア部２２の幅方向中央部に形成され、装着時に装着者の排泄部に対向するように配置される。高坪量部２４は前後方向に延びる。
高坪量部２４は、相対的に坪量が高く、前方コア部２１及び後方コア部２３、並びに低坪量部２５より高い坪量を有する。このため、高坪量部２４は、低坪量部２５、前方コア部２１及び後方コア部２３から厚み方向上方に突出するように構成される。
【００４１】
低坪量部２５は、高坪量部２４の周囲に形成される、高坪量部２４よりも坪量が低い部分である。低坪量部２５は、高坪量部２４の上面から下方に向かって沈み込むように構成される。
低坪量部２５は、本実施形態において、高坪量部２４の幅方向外側に、左右に分かれて配置される。
【００４２】
中間コア部２２には、周縁溝部２９と、１つの縦溝部２７ｃと、４つの横溝部２８が設けられている。ここでは、他のコア部に設けられる縦溝部２７と区別するために中間コア部２２に位置する縦溝部を縦溝部２７ｃと称して説明するが、特に区別する必要がない場合は、単に縦溝部２７と称する。
周縁溝部２９は、境界溝部３１と連結している。前後方向に延びる高坪量部２４の後方端部と境界溝部３１とは隣接し、高坪量部２４の前方端部と境界溝部３０とは隣接している。
４つの横溝部２８は、幅方向に沿って中間コア部２２を横切るように等間隔で互いに平行に配置される。
【００４３】
［折り畳み線の配置箇所］
ナプキン１は、後述する外装シート７５が配置された状態で、幅方向に三つ折り、更に前後方向に三つ折りされて包装可能となっている。
以下、包装過程で折り畳みによって形成される折り畳み線の配置について図２〜図５を用いて説明する。図上、折り畳み線Ｌ１〜Ｌ４及び当該折り畳み線Ｌ１〜Ｌ４が位置する箇所を二点鎖線で示しており、また、配置箇所をわかりやすくするために、折り畳み線Ｌ１〜Ｌ４を延長して図示する場合もある。
【００４４】
図２に示すように、ナプキン１は、幅方向に三つ折りするための前後方向に延びる折り畳み線Ｌ１及びＬ２と、前後方向に三つ折りするための幅方向に延びる折り畳み線Ｌ３及びＬ４を有する。
【００４５】
図５に示すように、折り畳み線Ｌ１及びＬ２は、吸収性コア２０の中間コア部２２の幅Ｄ２を規定する中間コア部２２の両側縁部４１及び４２の延長線７１及び７２上、又は延長線７１及び７２よりも幅方向の外側に設けられている。更に、ナプキン１では、折り畳み線Ｌ１及びＬ２は、後方コア部２３の幅Ｄ３を規定する後方コア部２３の両側縁部４３及び４４の延長線７３及び７４よりも幅方向内側に位置する。
【００４６】
すなわち、図３に示すように、ナプキン１の中間コア部２２が配置される領域においては、折り畳み線Ｌ１及びＬ２は、表面シート１２で被覆された吸収性コア２０よりも幅方向の外側に位置し、表面シート１２、コアラップシート３０及び裏面シート１３が積層された箇所に設けられ、吸収性コア２０上には位置しない。
一方、図４に示すように、ナプキン１の後方コア部２３が配置される領域においては、折り畳み線Ｌ１及びＬ２は、表面シート１２、コアラップシート３０、吸収性コア２０及び裏面シート１３が積層された箇所に設けられ、吸収性コア２０上に位置する。
従って、ナプキン１の中間コア部２２が配置される領域では、後方コア部２３が配置される領域よりも、折り畳み線Ｌ１及びＬ２が位置する箇所の厚さが薄く、剛性が低くなっている。
【００４７】
後方コア部２３（前方コア部２１）において、折り畳み線Ｌ１と折り畳み線Ｌ２との間には、前後方向に延びる中央縦溝部２７ａ（縦溝部２７）が３つ設けられている。
また、後方コア部２３（前方コア部２１）において、折り畳み線Ｌ１及びＬ２は、複数の縦溝部２７のうち幅方向において最も外側に位置する左右１つずつの側方縦溝部２７ｂ（縦溝部２７）上にそれぞれ位置する。
【００４８】
図２及び図５に示すように、圧搾溝１６は、吸収性コア２０の中間コア部２２の両側縁部４１、４２、及び、その延長線７１、７２よりも前記幅方向の内側に位置する。
ナプキン１の中間コア部２２が配置される領域において、圧搾溝１６は、前後方向に沿って延在する２本の直線部分を有し、この２本の直線部分はそれぞれ吸収性コア２０の側縁部４１、側縁部４２に近接しほぼ平行に位置する。圧搾溝１６は、中間コア部２２において、低坪量部２５に設けられる。
ナプキン１の後方コア部２３が配置される領域において、圧搾溝１６は、折り畳み線Ｌ１及びＬ２により挟まれた領域に位置する。後方コア部２３において、圧搾溝１６の一部は、中間コア部２２よりも折り畳み線Ｌ１及びＬ２に近接して配置される。尚、後方コア部２３において、圧搾溝１６の一部が折り畳線Ｌ１及びＬ２上に位置してもよい。
【００４９】
尚、本実施形態では、中間コア部２２の幅が前後方向に亘って同一幅となる直線部分を含む括れ形状を有する吸収性コア２０を例にあげて説明しているが、吸収性コア２０の括れ形状が、中間コア部２２の前後方向の中央の側縁部が幅方向内側に括れる湾曲形状、より具体的には、円弧状であってもよい。
吸収性コア２０が湾曲形状（円弧状）の括れ形状を有する場合、中間コア部２２の最も幅が狭い部分の側縁部を通り前後方向に平行な第１の仮想直線よりも圧搾部１６は内側に位置する。
また、吸収性コア２０が湾曲形状（円弧状）の括れ形状を有する場合、排泄部対向部である中間コア部の幅は、中間コア部において最も幅が広い部分の側縁部によって規定される。折り畳み線Ｌ１及びＬ２は、中間コア部において最も幅が広い部分の側縁部を通り前後方向に平行な第２の仮想直線上、又は、当該第２の仮想直線よりも幅方向の外側に位置する。第２の仮想直線は、第１の仮想直線よりも外側に位置し、前後方コア部２１，２３それぞれの最も幅が広い部分の側縁部を通り前後方向に平行な第３の仮想直線よりも内側に位置する。
【００５０】
ナプキン１では、折り畳み線Ｌ１及びＬ２は、固定端部１４２と圧搾溝１６との間に位置する。
図３に示すように、ナプキン１の中間コア部２２が配置される領域において、ナプキン１の固定端部１４２が位置する箇所では、サイドシート１４と、接着剤Ｂと、表面シート１２と、コアラップシート３０と、裏面シート１３が積層されている。
圧搾溝１６が位置する箇所では、表面シート１２、コアラップシート３０、吸収性コア２０、裏面シート１３が積層されている。
折り畳み線Ｌ１及びＬ２が位置する箇所では、表面シート１２、コアラップシート３０及び裏面シート１３が積層されている。
【００５１】
図５に示すように、折り畳線Ｌ３及びＬ４は幅方向に沿って延在し、折り畳み線Ｌ３は境界溝部３１に最も近い後方コア部２３の横溝部２８上に位置し、折り畳線Ｌ４は境界溝部３０上に位置する。
【００５２】
［吸収性物品包装体（ナプキン包装体）及びその作製方法］
図６及び図７を用いて、吸収性物品包装体としてのナプキン包装体１０及びその作製方法について説明する。
ナプキン包装体１０は、ナプキン１が外装シート７５とともに、幅方向及び前後方向に第１の主面１２ａを内側にして折り畳まれた折り畳み構造を有している。これにより、ナプキン包装体１０は、コンパクトでかさばりにくくなるため、収納や持ち運びに便利になる。ナプキン包装体１０は、ナプキン１以外に外装シート７５を含むが、外装シートとナプキンとの間に剥離シートを備える構成としてもよい。
【００５３】
次にナプキン包装体１０の作製方法について説明する。
図６（Ａ）に示すように、粘着部１５が外装シート７５側に位置するように外装シート７５上にナプキン１が配置され、積層体７６が形成される。
外装シート７５としては、例えばポリプロピレン、ポリエチレン、ポリビニルアルコールなどで形成されたフィルムや不織布等を利用可能であり、粘着部１５を有するナプキン１が外装シート７５から剥離可能であればよい。
【００５４】
次に、図６（Ｂ）に示すように、積層体７６の左側方部は、折り畳み線Ｌ１に沿って谷折りで、第１の主面１２ａが内側となるように、Ｙ軸方向右側に折り返される。更に、図６（Ｃ）に示すように、積層体７６の右側方部は、折り畳み線Ｌ２に沿って谷折りで、Ｙ軸方向左側に折り返され、折り返された左側方部に重なる。これにより、ナプキン１は幅方向に三つ折りされ、その幅は中間コア部２２の幅とほぼ同じとなる。
幅方向に三つ折りされたナプキン１では、ウイング部Ｗ及び後方フラップ部Ｆはナプキン１の第１の主面１２ａ側に折り返される。
また、図８（Ａ）及び（Ｂ）に示すように、幅方向に三つ折りされたナプキン１の吸収性コア２０は、前方コア部２１及び後方コア部２３において、それぞれの幅方向の両側方部が、肌対向面２０ａ側に折り返されている。
【００５５】
次に、図７（Ａ）に示すように、図面上、積層体７６の後方端部は、折り畳み線Ｌ３に沿って谷折りで、Ｘ軸方向上方に折り返される。更に、図７（Ｂ）に示すように、積層体７６の前方端部は、折り畳み線Ｌ４に沿って谷折りで、Ｘ軸方向下方に折り返され、折り返された後方端部に重なる。これにより、ナプキン１は前後方向に三つ折りされる。
【００５６】
次に、図７（Ｃ）に示すように、折りたたまれた積層体７６に粘着テープ７７が設けられ、ナプキン包装体１０が完成する。粘着テープ７７は、積層体７６の前方端部を、折り畳まれた状態の積層体７６の外装シート７５に固定する。
【００５７】
［作用効果］
本発明によれば、吸収性コアの、不具合を生じるような変形を抑制することが可能となる。
【００５８】
以下に、上述した効果を発現するメカニズムを説明するが、本発明はこれに限定されるものではない。
中間コア部２２と縦方向に重なる位置にウイング部が左右一対存在しており、装着時に裏面シート側へとウイング部が折り返されると、中間コア部２２は両側外側へと引っ張られた状態でショーツに固定される。そして、装着中は、装着者の動きによって、ウイング部が前後左右に移動する状態が繰り返される。
ここで、通常の吸収性コアであると、吸収性コア幅が全長に亘って同幅であるため、前方コア部及び後方コア部により中間コア部の動きが規制されることになる。このように中間コア部の動きの自由度が低いために、最悪の場合、中間コア部の破損をもたらす恐れがある。特に、包装体１０で吸収性コアに皺やヨレが生じている場合には、当該皺やヨレを起点にして中間コア部が一層破損する可能性が高まる。
これに対して、本発明では、中間コア部２２が前方コア部２１及び後方コア部２３よりも幅が狭く構成されていて、吸収性コア２０は、中間コア部２２の前後側が規制されない括れ部を、その幅方向Ｙの両外側に有する。このため、中間コア部２２の幅方向Ｙの中央に位置する、装着者の排泄部と対向する部分の変形が生じ難くなる。
更に、中間コア部２２には折り畳み線Ｌ１及びＬ２が設けられないので、折り畳まれた状態のナプキン包装体１０では、中間コア部２２に、幅方向の折り畳みによる皺やヨレが生じにくい。したがって、装着時に、中間コア部２２に破損等の不具合を生じるような変形が抑制可能となる。
【００５９】
また、ナプキン１の後方コア部２３が配置される領域に折り畳み線Ｌ１及びＬ２が位置することにより、ナプキン包装体１０からナプキン１を取り出した際、折り畳み線Ｌ１及びＬ２により、後方コア部２３の両側方部は折り畳み線Ｌ１及びＬ２を起点として適度に肌対向面側に折れ曲がるので、装着したときにナプキン１が装着者の臀部を包み込むように肌に沿いやすくなる。
このように、括れ形状の吸収性コア２０を備えるナプキン１を幅方向に折り畳む場合、中間コア部２２が設けられる領域には折り畳み線Ｌ１及びＬ２を設けず、後方コア部２３が設けられる領域に折り畳み線Ｌ１及びＬ２を設けることが適している。
【００６０】
また、上述したように、ナプキン１の中間コア部２２が配置される領域において、折り畳み線Ｌ１及びＬ２が位置する箇所では、表面シート１２、コアラップシート３０及び裏面シート１３が積層されており、吸収性コア２０は存在していない。
一方、ナプキン１の後方コア部２３が配置される領域において、折り畳み線Ｌ１及びＬ２が位置する箇所では、表面シート１２、コアラップシート３０、吸収性コア２０及び裏面シート１３が積層されており、吸収性コア２０は存在している。
つまり、ナプキン１の折り畳み線Ｌ１及びＬ２が位置する箇所においては、前方コア部２１及び後方コア部２３が配置される領域よりも中間コア部２２が配置される領域の方が、厚みが薄く、剛性が低くなっている。換言すると、ナプキン１の折り畳み線Ｌ１及びＬ２が位置する箇所において、ナプキン１の前後方部と中間部とで剛性差が生じている。
したがって、ナプキン１の装着時、中間領域Ｍ２に位置するウイング部Ｗを折り曲げ下着の外面に固定した場合、ナプキン１の折り畳み線Ｌ１及びＬ２が位置する箇所における前後方部と中間部との剛性差によって、中間コア部２２が装着者の排泄部側へと起立しやすくなる。これにより、中間コア部２２が装着者の排泄部付近にフィットしやすくなり、ナプキン１と肌との隙間が減少し、液漏れを抑制することができる。
【００６１】
しかしながら、本発明では、折り畳み線Ｌ１，Ｌ２が、前方コア部２１、後方コア部２３を構成する吸収性材料が存在する部分と重なっていない場合を排除するものではない。例えば、前方コア部２１、後方コア部２３の両側縁よりも幅方向Ｙの外側に位置している形態であったり、折り畳み線Ｌ１，Ｌ２が前方コア部２１、後方コア部２３の縦溝２７と重なる場合であって、当該縦溝２７が吸収性コアの厚み方向に貫通している場合も、本発明に含まれる。
【００６２】
また、中間コア部２２の幅方向中央部には、周囲の低坪量部２５よりも坪量が高い高坪量部２４が配置される。これにより、高坪量部２４の存在により中間コア部２２が装着者の排泄部へよりフィットし、また、中間コア部２２での液吸収性能が向上する。この効果は、上述の折り畳み線Ｌ１及びＬ２における前方コア部２１、後方コア部２３と中間コア部との剛性差による中間コア部２２の起立し易い構造の時に、特に有効である。
【００６３】
また、高坪量部２４の後方端部と、高坪量部２４よりも坪量が低く剛性も低い境界溝部３１とが隣接している。これにより、ナプキン１の装着時に高坪量部２４が配置される中間コア部２２の起立性が一層高まり、フィット性がより向上する。
【００６４】
また、ナプキン１の後方コア部２３が配置される領域では、折り畳み線Ｌ１及びＬ２は、表面シート１２、コアラップシート３０、吸収性コア２０及び裏面シート１３が積層した領域に設けられる。このため、本実施形態では、吸収体１１が配されない後方フラップ部Ｆに前後方向に延在する折り畳み線が設けられる場合と比較して、ナプキン１の折り畳み線Ｌ１及びＬ２が配される箇所の剛性が高くなる。
従って、本実施形態のように、折り畳み線Ｌ１及びＬ２が吸収体１１上に設けられることにより、後方フラップ部Ｆに前後方向に延在する折り畳み線が設けられる場合と比較して、折り畳み線Ｌ１及びＬ２による折り癖がナプキン１に強くつきにくい。
これにより、ナプキン包装体１０を広げナプキン１を取り出した際、内側に折り込まれていた後方フラップ部Ｆが広がりやすくなる。その上、後方フラップ部Ｆとウイング部Ｗは共通のサイドシート１４及び裏面シート１３により連なって形成されているので、ナプキン包装体１０を広げナプキン１を取り出した際、広がりやすい後方フラップ部Ｆに連動してウイング部Ｗも広がりやすくなり、下着にナプキン１を装着する作業が容易となる。
【００６５】
また、後方コア部２３の肌対向面２０ａ側に、折り畳み線Ｌ１及びＬ２よりも幅方向内側に中央縦溝部２７ａが設けられている。これにより、ナプキン１の幅方向での折り畳み時に、後方コア部２３の肌対向面２０ａ側で幅方向内側に向かって圧縮される内部応力が生じるが、この内部応力は中央縦溝部２７ａによって吸収或いは緩和されるので、後方コア部２３の変形が抑制される。したがって、後方コア部２３の変形による装着時の肌とナプキン１の隙間の発生を減少させ、液漏れを抑制することができる。
更に、中央縦溝部２７ａは、ナプキン１の全長に亘って配列されているので、幅方向での折り畳み時に生じる内部応力は中央縦溝部２７ａによりナプキン１の外部へと解放されやすく、吸収性コア２０の変形が抑制される。
尚、後方コア部２３において、折り畳み線Ｌ１及びＬ２よりも幅方向内側に設けられる縦溝部２７の数、溝幅、配置は本実施形態に記載される構成に限定されない。少なくとも縦溝部２７が１つあればよく、幅方向中央に配置するのが好ましい。また、内部応力の緩和の向上の観点から溝幅が広いことが好ましい。
【００６６】
また、中間コア部２２と後方コア部２３との間の境界部Ｐ２には境界溝部３１が設けられている。これにより、ナプキン１の幅方向での折り畳み時に、後方コア部２３の肌対向面２０ａ側で幅方向内側に向かって生じる内部応力による後方コア部２３の変形が、境界溝部３１で吸収或いは緩和されて中間コア部２２に伝播しにくく、中間コア部２２の変形が抑制される。
【００６７】
また、後方コア部２３の縦溝部２７と境界溝部３１は連結している。これにより、ナプキン１の幅方向での折り畳み時に、後方コア部２３の肌対向面２０ａ側で幅方向内側に向かって縦溝部２７に生じる内部応力は境界溝部３１に伝播され境界溝部３１で吸収或いは緩和されるので、後方コア部２３の変形がより抑制される。
【００６８】
また、前方コア部２１及び後方コア部２３において、折り畳み線Ｌ１及びＬ２は、それぞれ吸収性コア２０の、相対的に坪量が低く底部が薄い縦溝部２７上に位置するので、折り畳みやすい。更に、幅方向にナプキン１を折り畳む時に折り畳み線Ｌ１及びＬ２上に位置する縦溝部２７に生じる内部応力は縦溝部２７で緩和されるので、前方コア部２２、後方コア部２３それぞれの幅方向中央部の変形が抑制される。
【００６９】
また、圧搾溝１６が中間コア部２２の両側縁部４１、４２、及び、その延長線７１、７２よりも幅方向の内側に位置することにより、後方コア部２３においては、折り畳み線Ｌ１及びＬ２の幅方向内側に圧搾溝１６が位置することになる。後方コア部２３において、幅方向にナプキン１を折り畳む時に肌対向面２０ａ側に生じる内部応力は圧搾溝１６によって緩和され、後方コア部２３の幅方向中央部に伝播しにくい。これにより、後方コア部２３の中央部に皺等が発生しにくく、変形しにくい。
【００７０】
ここで、装着時、ナプキン１の中間領域Ｍ２は、幅方向外側にある装着者の両脚から、幅方向内側に向かう外力を受ける。このため、左右両側から外力を受けると、典型的には、図３に示すように、吸収性コア２０が存在しない括れ被覆部３４が先に変形し、その後更に低坪量部２５が変形する。これにより、吸収体１１に作用する外力が段階的に吸収或いは緩和され、高坪量部２４に伝播する外力が低減する。
更に、本実施形態では、中間コア部２２において、圧搾溝１６が中間コア部２２の両側縁部４１及び４２よりも幅方向内側に位置することにより、左右両脚側から受ける外力が圧搾溝１６によっても緩和され、高坪量部２４へ伝播する外力がより低減する。従って、高坪量部２４の変形が抑制され、液漏れが抑制される。
【００７１】
また、ナプキン１では、折り畳み線Ｌ１及びＬ２は、立体ガードＧの固定端部１４２と圧搾溝１６との間に位置する。
図３に示すように、ナプキン１の中間コア部２２が配置される領域において、固定端部１４２が位置する箇所では、サイドシート１４と、接着剤Ｂと、表面シート１２と、コアラップシート３０と、裏面シート１３とが積層されている。
圧搾溝１６が位置する箇所では、表面シート１２、コアラップシート３０、吸収性コア２０、裏面シート１３が積層されている。
折り畳み線Ｌ１及びＬ２が位置する箇所では、表面シート１２、コアラップシート３０及び裏面シート１３が積層されている。
このように、立体ガードＧの固定端部１４２が位置する箇所と折り畳み線Ｌ１及びＬ２が位置する箇所とは、いずれも吸収性コア２０の非存在領域であるが、積層構造が異なっている。
折り畳み線Ｌ１及びＬ２が位置する箇所は、固定端部１４２及び圧搾溝１６が位置する箇所よりも、ナプキン１における厚みが薄く、剛性が低い。
従って、折り畳み線Ｌ１及びＬ２は、２つの相対的に剛性の高い箇所に挟まれた剛性の低い箇所に位置するので、折り畳み線Ｌ１及びＬ２を起点としてナプキン１は折れ曲がりやすくなっている。
また、立体ガードＧの折返し領域１４１には弾性部材１４３が配置されて、起立領域Ｇ１が起立可能に構成されているので、装着時、弾性部材１４３が前後方向に収縮してナプキン全体が緩やかに湾曲し、折返領域１４１が厚み方向上方向に起立する。折返し領域１４１の起立に伴い、折れ曲がりやすい折り畳み線Ｌ１及びＬ２が位置する箇所は、厚み方向下方向に向かって折れ、これに伴い、中間コア部２２は装着者の排泄部側へと起立しやすくなり、装着者の排泄部にフィットしやすくなる。
【００７２】
また、ナプキン１は、幅方向に延在する折り畳み線Ｌ３及びＬ４を有するので、前後方向にも折り畳むことができ、幅方向に加えて前後方向にも小型化が可能となる。
折り畳み線Ｌ３、Ｌ４は、それぞれ吸収性コア２０の相対的に坪量が低く底部が薄い横溝部２８上、境界溝部３０上に位置するので、折り畳みやすい。更に、前後方向にナプキン１を折り畳む時に、吸収性コア２０の肌対向面２０ａ側で前後方向内側に向かって圧縮される内部応力が生じるが、この応力は横溝部２８、境界溝部３０で吸収或いは緩和され、吸収性コア２０の変形が抑制される。
【００７３】
以上のように、本実施形態では、括れ形状を有する吸収性コアを備えたナプキンに適した折り畳み構造を提供することができ、吸収性コアの排泄対向部となる中間コア部の変形を抑制することができる。これにより、中間コア部の変形による液漏れの発生を抑制することができる。
【００７４】
＜他の実施形態＞
以上、本発明の実施形態について説明したが、本発明は上述の実施形態にのみ限定されるものではなく、本発明の要旨を逸脱しない範囲内において種々変更を加え得ることは勿論である。
【００７５】
上述の実施形態では、幅方向及び前後方向でそれぞれ三つ折りした折り畳み構造のナプキン包装体を例にあげて説明したが、これに限定されない。例えば、幅方向で三つ折りし、前後方向で四つ折りした折り畳み構造のナプキン包装体としてもよい。また、幅方向にのみ三つ折りした折り畳み構造を有する図６（Ｃ）に示す細長い形状のナプキン包装体としてもよい。
【００７６】
また、上述の実施形態においては、折り畳み線Ｌ３を横溝部２８上に設けたが、境界溝部３１上に設けても良い。境界溝部３０及び３１は横溝部２８よりも溝幅が広いので、折り畳む際、折り畳み線Ｌ３及びＬ４を横溝部２８上に設定する場合よりも、境界溝部３０及び３１上に設定する方が、前後方向の位置ずれの許容範囲が広くなる。
【００７７】
また、上述の実施形態においては、前方コア部２１及び後方コア部２３において、折り畳み線Ｌ１及びＬ２は、縦溝部２７上に設けられていたが、これに限定されず、ブロック部上に、前後方向に延びる折り畳み線Ｌ１及びＬ２が設けられてもよい。これにより、ナプキン１の装着時に、折り畳み線Ｌ１及びＬ２を変形起点として幅方向で臀部を包み込むように吸収性コア２０が変形しやすくなる。
同様に、幅方向に延在する折り畳み線Ｌ３及びＬ４がブロック部上に設けられても良い。これにより、ナプキン１の装着時に、折り畳み線Ｌ３及びＬ４を変形起点として前後方向で装着者の体に沿うように吸収性コア２０が変形しやすくなる。
尚、折り畳み線Ｌ３及びＬ４は、高坪量部２４が配置される領域以外に設けることが好ましく、中間コア部２２以外の、前方コア部２１、後方コア部２３、境界部Ｐ１及びＰ２に設けることが好ましい。例えば、折り畳み線Ｌ３及びＬ４は、高坪量部２４の前端部及び後端部に隣接して設けることができ、高坪量部２４に折り畳み線による折り癖や皺等の変形が生じにくい。
【００７８】
また、上述の実施形態では、中間コア部２２がウイング部Ｗの前後端より縦方向Ｘの外方まで延びる形態であったが、ウイング部Ｗの前後端と中間コア部２２の前後端が一致する物であっても良いし、ウイング部Ｗの前後端よりも中間コア部２２の前後端の少なくとも一方が長手方向Ｘの内側に位置していても良い。しかし、中間コア部２２がウイング部Ｗの前後端より縦方向Ｘの外方まで延びる形態が、幅方向Ｙ外方への力への緩衝作用の観点から好ましい。
【００７９】
また、上述の実施形態では、吸収性物品として生理用ナプキンの例を示したが、これに限定されない。本発明の吸収性物品は、例えば、失禁パットやおりものシート、使い捨ておむつ等であってもよい。
【符号の説明】
【００８０】
１…吸収性物品（生理用ナプキン、ナプキン）
２０…吸収性コア
２１…前方コア部
２２…中間コア部
２３…後方コア部
４１、４２…中間コア部の側縁部
４３、４３…後方コア部の側縁部
７１、７２…中間コア部の側縁部の延長線
７３、７４…後方コア部の側縁部の延長線
Ｌ１，Ｌ２…折り畳み線（折り畳み線）
Ｌ３，Ｌ４…折り畳み線（折り畳み線）
Ｍ…本体
Ｐ２…境界部
Ｗ…ウイング部
【図１】
2019217000.tif 000003
【図２】
2019217000.tif 000004
【図３】
2019217000.tif 000005
【図４】
2019217000.tif 000006
【図５】
2019217000.tif 000007
【図６】
2019217000.tif 000008
【図７】
2019217000.tif 000009
【図８】
2019217000.tif 000010